(57)【要約】【課題】  縦位置で撮影する場合であっても、レンズの上方からのストロボ照射を容易に行うことができるカメラを提供することである。【解決手段】  カメラ本体（１２）の上面のほぼ中央に設けられ、ストロボ装置を装着するための第１アクセサリーシュー（２２）を有するカメラ（１０）において、カメラ本体の右側側面に第２アクセサリーシュー（２６）が設けられていることを特徴とするカメラが提供される。好ましくは、カメラ本体の左側側面に第３アクセサリーシュー（２８）が更に設けられている。【選択図】  図１
2007139871.tif 000002
【特許請求の範囲】
【請求項１】
カメラ本体の上面のほぼ中央に設けられ、ストロボ装置を装着するための第１アクセサリーシューを有するカメラにおいて、
カメラ本体の右側側面に第２アクセサリーシューが設けられていることを特徴とするカメラ。
【請求項２】
カメラ本体の左側側面に第３アクセサリーシューが更に設けられていることを特徴とする請求項１に記載のカメラ。
【発明の詳細な説明】
【技術分野】
【０００１】
本発明は一般に、カメラに関する。より詳細には、本発明は、縦位置で撮影する場合であっても良好なストロボ撮影を可能にする一眼レフカメラに関する。
【背景技術】
【０００２】
カメラで撮影する際、光量が十分でない場合にストロボを用いるのは周知である。安価な普及機では、カメラ本体にストロボが組み込まれているが、中級機以上の一眼レフカメラでは、ストロボ装置が別個に用意されており、必要に応じて、カメラ本体の上面のほぼ中央（レンズの上方）に設けられたアクセサリーシューにストロボ装置を装着して使用するようになっている。
【０００３】
一方、カメラで撮影しようとする際、被写体や撮影状況に応じて、カメラを横長に構えて撮影する場合（以下「横位置」という）と、カメラを９０°回転させて縦長に構えて撮影する場合（以下「縦位置」という）とがある。
【発明の開示】
【発明が解決しようとする課題】
【０００４】
横位置でストロボ撮影をする場合には、ストロボ装置がレンズの上方に位置するため、被写体の上方から光が照射された状態で撮影される。しかしながら、縦位置でストロボ撮影をすると、ストロボ装置がレンズの側方に位置するため、被写体の側方から光が照射された状態で撮影されることになり、被写体の側方に影が生ずる不自然な写真となってしまう。このような不都合を改善すべく、縦位置でストロボ撮影をする場合であっても、レンズの上方から光が照射されるように、カメラを縦長に構えても、ストロボ装置のレンズの上方への位置決めを可能にする特殊な支持具が開発されているが、この支持具は、嵩張って重いため、カメラに装着すると、カメラを操作しにくくなるという不都合がある。
【０００５】
本発明は、このような状況に鑑みて開発されたものであって、縦位置で撮影する場合であっても、レンズの上方からのストロボ照射を容易に行うことができるカメラを提供することを目的としている。
【課題を解決するための手段】
【０００６】
本願請求項１に記載のカメラ本体の上面のほぼ中央に設けられ、ストロボ装置を装着するための第１アクセサリーシューを有するカメラは、カメラ本体の右側側面に第２アクセサリーシューが設けられていることを特徴とするものである。
【０００７】
本願請求項２に記載のカメラは、前記請求項１のカメラにおいて、カメラ本体の左側側面に第３アクセサリーシューが更に設けられていることを特徴とするものである。
【発明の効果】
【０００８】
本発明のカメラによれば、特殊な支持具を用意しなくとも、カメラを縦長に構えた場合においても、レンズの上方から光を照射することが可能である。
【発明を実施するための最良の形態】
【０００９】
次に図面を参照して、本発明の好ましい実施の形態に係るカメラについて詳細に説明する。図１は本発明の好ましい実施の形態に係るカメラ１０を右前方から見た概略斜視図、図２は図１のカメラを左前方から見た概略斜視図である。図１および図２において、参照符号１２、１４、１６、１８、２０は、カメラ本体、レンズ、第１シャッターボタン、第２シャッターボタン、グリップ部をそれぞれ表している。
【００１０】
本発明の好ましい実施の形態に係るカメラ１０は、カメラ本体１２の上面のほぼ中央に設けられた第１アクセサリーシュー２２を備えている。第１アクセサリーシュー２２には、ストロボ装置２４が装着される。好ましくは、第１アクセサリーシュー２２は、発光するタイミングをストロボに伝えるシンクロ接点として構成されている。
【００１１】
本発明の好ましい実施の形態に係るカメラ１０は又、カメラ本体１２の右側側面（即ち、グリップ部２０）に設けられた第２アクセサリーシュー２６を備えている。好ましくは、第２アクセサリーシュー２６も、第１アクセサリーシュー２２と同様に、シンクロ接点として構成されている。
【００１２】
なお、図１に示されるように、第２アクセサリーシュー２６をグリップ部２０の内部に配置し、ストロボ装置２４の装着時にグリップ部２０に設けたカバー１２ａを開けてストロボ装置２４を第２アクセサリーシュー２６に装着するように構成するのが好ましい。
【００１３】
本発明の好ましい実施の形態に係るカメラ１０は更に、カメラ本体１２の左側側面に設けられた第３アクセサリーシュー２８を備えている。好ましくは、第３アクセサリーシュー２８も、第１および第２アクセサリーシュー２２、２６と同様に、シンクロ接点として構成されている。
【００１４】
以上のように構成されたカメラ１０の使用について説明する。カメラを横位置に構える通常の撮影では、第１アクセサリーシュー２２にストロボ装置２４を装着して撮影を行う（図３参照）。縦位置でストロボ撮影しようとする場合には、図４に示されるように、第２アクセサリーシュー２６にストロボ装置２４を装着し、グリップ部２０を上方にして縦位置に構えて撮影を行う（この場合には、第２シャッターボタン１８を押して撮影する）。また、グリップ部２０を下方にして縦位置で撮影しようとする場合には、図５に示されるように、第３アクセサリーシュー２８にストロボ装置２４を装着して撮影を行う。
【００１５】
本発明は、以上の発明の実施の形態に限定されることなく、特許請求の範囲に記載された発明の範囲内で、種々の変更が可能であり、それらも本発明の範囲内に包含されるものであることはいうまでもない。
【００１６】
例えば、前記実施の形態では、カメラ１０に第２シャッターボタン１８が設けられているが、第２シャッターボタン１８が設けられてないカメラについても、本発明を適用することができる。
【図面の簡単な説明】
【００１７】
【図１】本発明の好ましい実施の形態に係るカメラを右前方から見た概略斜視図である。
【図２】図１のカメラを左前方から見た概略斜視図である。
【図３】第１アクセサリーシューにストロボ装置を装着したカメラを横位置に構えた状態を示した図である。
【図４】第２アクセサリーシューにストロボ装置を装着したカメラを縦位置に構えた状態を示した図である。
【図５】第３アクセサリーシューにストロボ装置を装着したカメラを逆縦位置に構えた状態を示した図である。
【符号の説明】
【００１８】
１０  カメラ
１２  カメラ本体
１２ａ  カバー
１４  レンズ
１６  第１シャッターボタン
１８  第２シャッターボタン
２０  グリップ部
２２  第１アクセサリーシュー
２４  ストロボ装置
２６  第２アクセサリーシュー
２８  第３アクセサリーシュー
【図１】
2007139871.tif 000003
【図２】
2007139871.tif 000004
【図３】
2007139871.tif 000005
【図４】
2007139871.tif 000006
【図５】
2007139871.tif 000007